(57)【特許請求の範囲】
【請求項１】
背面に端子接続部を備えたパネルマウント方式の電子機器のための電子機器取り付け治具であって、
上記電子機器の前面に備えられた表示部及び操作部の両方又はいずれか一方を露出させて該電子機器を嵌合支持するための開口部を有する前面側支持治具と、
上記前面側支持治具とは分離可能に設けられ、かつ別途に存在する背面壁に取り付け可能な背面側支持治具とからなっていることを特徴とする電子機器取り付け治具。
【請求項２】
前記前面側支持治具には、少なくとも２種類の形状の開口部が形成されていることを特徴とする請求項１記載の電子機器取り付け治具。
【請求項３】
前記前面側支持治具は、断面Ｌ字状に形成されており、かつＬ字立ち上げ部の長さとＬ字水平部の長さとは互いに等しいことを特徴とする請求項１又は２記載の電子機器取り付け治具。
【請求項４】
前記背面側支持治具には、磁石が設けられていることを特徴とする請求項１，２又は３記載の電子機器取り付け治具。
【請求項５】
前記前面側支持治具は、断面Ｌ字状に形成されており、かつＬ字立ち上げ部の長さとＬ字水平部の長さとは互いに等しいと共に、
上記前面側支持治具のＬ字立ち上げ部に形成された開口部とＬ字水平部に形成された開口部とは、互いに形状が異なっていることを特徴とする請求項１記載の電子機器取り付け治具。
【発明の詳細な説明】
【技術分野】
【０００１】
本発明は、背面に端子接続部を備えたパネルマウント方式の電子機器のための電子機器取り付け治具に関するものである。
【背景技術】
【０００２】
従来、前面に表示部や操作部を備え、背面に端子接続部を備えたパネルマウント方式の電子機器は、例えば分電盤の前面蓋の開口部にその表示部を露出させた状態で、該分電盤の前面蓋に取り付けられる。
【０００３】
この種のパネルマウント方式の電子機器の取り付け方法としては、例えば、特許文献１に開示されたものがある。
【０００４】
この特許文献１に開示された表示器機の取り付け構造は、液晶表示器のような表示器のパネルへの取り付け構造に関するものである。この表示器機の取り付け構造では、図１３（ａ）（ｂ）（ｃ）に示すように、液晶表示部１１１とこれを制御する制御部１１２とを備えた表示器１１０をその表面外周部と背部とにおいて本体ケース１２０にて囲繞して保持する。液晶表示部１１１の周部を押さえる本体ケース１２０の押さえ片１２１の内縁から係止爪１２２を起立する。本体ケース１２０からばね片１２３を押さえ片１２１よりも表面側に突設する。パネル１０１に形成された表示窓１０１ａの窓縁部に装着する略ロ字型に形成された取付枠１３０に保持爪１３１を背方に延出する。表示窓１０１ａに装着した取付枠１３０の保持爪１３１に本体ケース１２０の係止爪１２２を係止する。ばね片１２３をパネル１０１の背面に弾接させる。
【０００５】
これにより、パネルマウント方式の表示器１１０における液晶表示部１１１を、パネル１０１に形成された表示窓１０１ａから直接露出させるのではなく、取付枠１３０を意匠性のよいものにすることによって、表示器１１０をパネル１０１に容易確実に取り付け得るようにしながら、表示器１１０周りの外観を高め、表示器１１０における表示面を広く見えるようにすることができるものとなっている。尚、液晶表示部１１１とこれを制御する制御部１１２との間には、プリント配線基板１１３が設けられている。そして、表示器１１０は、プリント配線基板１１３に制御部１１２としての電子部品が実装され、また、液晶素子（ＬＣＤ）を備えた液晶表示部１１１が取り付けられて構成されている。
【先行技術文献】
【特許文献】
【０００６】
【特許文献１】特開平７−１３１３４号公報（１９９５年１月１７日公開）
【発明の概要】
【発明が解決しようとする課題】
【０００７】
しかしながら、上記従来の特許文献１に開示された表示器機の取り付け構造では、パネルマウント方式の電子機器を背面側で支持固定する場合についてまでは、開示していない。
【０００８】
すなわち、近年では、表示部の内容を遠隔制御のためのコンピュータのモニタに表示する場合があるので、必ずしも分電盤の前面蓋において分電盤の外側からその表示が見えるようになっている必要はない。したがって、この場合には、パネルマウント方式の電子機器は、分電盤の前面蓋を開けたときにその表示が見えるようにして、例えば筐体からなる治具を介してパネルマウント方式の電子機器を分電盤の内部の背面壁に取り付けておけばよい。しかし、パネルマウント方式の電子機器がその背面に端子接続部を備えている場合には、端子接続部への配線接続をするときには、筐体からなる治具が邪魔になるという問題点を有している。
【０００９】
本発明は、上記従来の問題点に鑑みなされたものであって、その目的は、パネルマウント方式の電子機器を背面側で支持固定する場合に、配線接続を容易に行い得る電子機器取り付け治具を提供することにある。
【課題を解決するための手段】
【００１０】
本発明の電子機器取り付け治具は、背面に端子接続部を備えたパネルマウント方式の電子機器のための電子機器取り付け治具であって、上記電子機器の前面に備えられた表示部及び操作部の両方又はいずれか一方を露出させて該電子機器を嵌合支持するための開口部を有する前面側支持治具と、上記前面側支持治具とは分離可能に設けられ、かつ別途に存在する背面壁に取り付け可能な背面側支持治具とからなっていることを特徴としている。
【００１１】
上記の発明によれば、電子機器は、パネルマウント方式の電子機器であり、前面に表示部及び操作部の両方又はいずれか一方を備え、かつ背面に端子接続部を備えている。このようなパネルマウント方式の電子機器は、本来、例えば分電盤又は配電盤等の盤の前面パネルにおいて、電子機器の前面に備えられた表示部及び操作部の両方又はいずれか一方が露出するようにして取り付けられる。
【００１２】
しかしながら、このようなパネルマウント方式の電子機器において、近年においては、表示部の内容を遠隔制御のためのコンピュータのモニタに表示する場合があるので、必ずしも分電盤等の前面蓋において分電盤等の外側からその表示が見えるようになっている必要はない。したがって、この場合には、パネルマウント方式の電子機器は、分電盤等の前面蓋を開けたときにその表示が見えるようにして、例えば筐体からなる治具を介してパネルマウント方式の電子機器を分電盤等の内部の背面壁に取り付けておけばよい。しかし、パネルマウント方式の電子機器がその背面に端子接続部を備えている場合には、端子接続部への配線接続をするときには、筐体からなる治具が邪魔になる。
【００１３】
そこで、本発明では、電子機器取り付け治具は、電子機器の前面に備えられた表示部及び操作部の両方又はいずれか一方を露出させて該電子機器を嵌合支持するための開口部を有する前面側支持治具と、上記前面側支持治具とは分離可能に設けられ、かつ別途に存在する背面壁に取り付け可能な背面側支持治具とからなっている。
【００１４】
このため、電子機器取り付け治具を用いて、パネルマウント方式の電子機器を分電盤等の内部の背面壁に取り付けるためには、まず、電子機器の背面の端子接続部での配線接続を行う。次いで、前面側支持治具の開口部において、電子機器の前面に備えられた表示部及び操作部の両方又はいずれか一方を露出させて該電子機器を嵌合支持する。その後、前面側支持治具と背面側支持治具とを一体に連結する。最後に、背面側支持治具を例えば分電盤等の内部の背面壁に取り付ける。
【００１５】
これにより、電子機器の背面の端子接続部での配線接続を行う場合には、配線接続の邪魔になる壁面が存在しないので、電子機器の背面の端子接続部での配線接続を容易に行うことができ、作業性が高い。また、例えば分電盤等の内部の背面壁にも容易に取り付けることができる。さらに、分電盤等の内部において、分電盤等の前面蓋を開ければ、容易に前面側支持治具の開口部において、電子機器の前面に備えられた表示部及び操作部の両方又はいずれか一方を表示又は操作することができる。このため、パネルマウント方式の電子機器における前面での表示又は操作が可能という特性を活かすことができる。
【００１６】
したがって、パネルマウント方式の電子機器を背面側で支持固定する場合に、配線接続を容易に行い得る電子機器取り付け治具を提供することができる。
【００１７】
尚、特許文献１と関係においては、本発明では、電子機器の前面に備えられた表示部及び操作部の両方又はいずれか一方を露出させて嵌合支持するための開口部が存在し、かつ背面側支持治具は別途に存在する背面壁に取り付け可能になっているのに対して、特許文献１ではそのようになっていない点が異なっている。
【００１８】
本発明の電子機器取り付け治具では、前記前面側支持治具には、少なくとも２種類の形状の開口部が形成されていることが好ましい。
【００１９】
これにより、例えば、大きさの異なる２種類以上のパネルマウント方式の電子機器を、電子機器の前面に備えられた表示部及び操作部の両方又はいずれか一方を開口部から露出させて嵌合支持することができる。したがって、一つの電子機器取り付け治具にて、複数種類のパネルマウント方式の電子機器を取り付けることができる。
【００２０】
尚、本発明においては、前面側支持治具のおける立ち上げ部材に少なくとも２種類の形状の開口部が形成されている場合の他、後述するように、Ｌ字立ち上げ部とＬ字水平部とに対してそれぞれ形状の異なる開口部を形成しておく場合とがある。
【００２１】
本発明の電子機器取り付け治具では、前記前面側支持治具は、断面Ｌ字状に形成されており、かつＬ字立ち上げ部の長さとＬ字水平部の長さとは互いに等しいことが好ましい。
【００２２】
このように、例えば、Ｌ字立ち上げ部とＬ字水平部とに対してそれぞれ形状の異なる開口部を形成しておくことにより、Ｌ字立ち上げ部とＬ字水平部とを反転して入れ替えることによって、例えば表面形状の異なる電子機器を前面側支持治具の開口部において、電子機器の前面に備えられた表示部及び操作部の両方又はいずれか一方を露出させて嵌合支持することができる。そして、この場合、前面側支持治具の高さ方向の寸法は変化しないので、前面側支持治具と背面側支持治具とを容易に一体に連結することができる。
【００２３】
この結果、一つの電子機器取り付け治具にて、２種類のパネルマウント方式の電子機器のうちのいずれか１種類を取り付けることができる。
【００２４】
本発明の電子機器取り付け治具では、前記背面側支持治具には、磁石が設けられていることが好ましい。
【００２５】
これにより、前面側支持治具と背面側支持治具とを一体に連結した後、背面側支持治具に設けられている磁石にて、例えば、分電盤等の内部における鉄製の背面壁に容易に取り付け固定することができ、取り付け固定での作業性が高い。
【発明の効果】
【００２６】
本発明の電子機器取り付け治具は、以上のように、電子機器の前面に備えられた表示部及び操作部の両方又はいずれか一方を露出させて嵌合支持するための開口部を有する前面側支持治具と、上記前面側支持治具とは分離可能に設けられ、かつ別途に存在する背面壁に取り付け可能な背面側支持治具とからなっているものである。
【００２７】
それゆえ、パネルマウント方式の電子機器を背面側で支持固定する場合に、配線接続を容易に行い得る電子機器取り付け治具を提供するという効果を奏する。
【図面の簡単な説明】
【００２８】
【図１】本発明における電子機器取り付け治具の実施の一形態を示すものであって、電子機器取り付け治具の構成を示す斜視図である。
【図２】上記電子機器取り付け治具によって、取り付けられる電子機器の構成を示す斜視図である。
【図３】上記前面側支持治具と背面側支持治具とを一体に連結した電子機器取り付け治具の構成を示す斜視図である。
【図４】上記電子機器取り付け治具における前面側支持治具の構成を示す斜視図である。
【図５】上記電子機器取り付け治具における背面側支持治具の構成を示す斜視図である。
【図６】上記分電盤等の背面壁に取り付けられた電子機器取り付け治具を示す側面図である。
【図７】上記電子機器取り付け治具によって、取り付けられる他の電子機器の構成を示す斜視図である。
【図８】上記前面側支持治具を回転することにより開口付きＬ字立ち上げ部と開口付きＬ字水平部とを入れ替えた前面側支持治具を示す斜視図である。
【図９】上記前面側支持治具の開口付きＬ字水平部の小開口部に上記他の電子機器を嵌合支持させた電子機器取り付け治具を示す側面図である。
【図１０】上記背面側支持治具の変形例の構成を示す側面図である。
【図１１】上記背面側支持治具における他の変形例の構成を示す側面図である。
【図１２】磁石にて固定して積層した複数の電子機器取り付け治具を示す斜視図である。
【図１３】（ａ）は従来の電子機器取り付け治具の構成を示す正面図であり、（ｂ）は上記従来の電子機器取り付け治具の構成を示す側面断面図であり、（ｃ）は上記従来の電子機器取り付け治具の要部の構成を示す側面断面図である。
【発明を実施するための形態】
【００２９】
本発明の一実施形態について図１〜図１２に基づいて説明すれば、以下のとおりである。
【００３０】
本実施の形態の電子機器取り付け治具によって分電盤や配電盤等の盤に取り付けられる電子機器は、例えば、電力量計、電圧計、電流計等の電子機器である。この電子機器１０Ａは、図２に示すように、前面に表示部１及び操作部２の両方を備え、かつ背面に端子接続部３を備えており、パネルマウント方式の電子機器１０Ａとなっている。表示部１には例えば電力量がデジタル表示されるようになっており、操作部２には例えば瞬時電力量の表示と積算電力量の表示とを切り替える切替ボタン等が設けられている。尚、本実施の形態では、電子機器１０Ａは、前面に表示部１及び操作部２の両方を備えているが、発明においては必ずしもこれに限らず、電子機器１０Ａの前面に例えば表示部１又は操作部２のいずれか一方のみが存在しているものであってもよい。
【００３１】
このようなパネルマウント方式の電子機器１０Ａは、本来、例えば分電盤等の前面パネルにおいて、電子機器の前面に備えられた表示部及び操作部の両方が露出するようにして取り付けられるものである。
【００３２】
しかしながら、このようなパネルマウント方式の電子機器１０Ａでは、近年においては、表示部１の内容を遠隔制御するための図示しないコンピュータのモニタに表示する場合がある。したがって、その場合には、必ずしも分電盤等の前面蓋において分電盤等の外側からその表示が見えるようになっている必要はない。したがって、その場合には、パネルマウント方式の電子機器１０Ａは、分電盤等の前面蓋を開けたときにその表示が見えるようにして、例えば筐体からなる治具を介してパネルマウント方式の電子機器１０Ａを分電盤等の内部の背面壁に取り付けておけばよい。しかし、パネルマウント方式の電子機器１０Ａがその背面に端子接続部３を備えている場合には、端子接続部３への配線接続をするときには、筐体からなる治具が邪魔になる。
【００３３】
そこで、本実施の形態では、電子機器取り付け治具１１は、図１に示すように、電子機器１０Ａの前面に備えられた表示部１及び操作部２の両方を露出させて嵌合支持するための大開口部２１ａを有する前面側支持治具２０と、前面側支持治具２０とは分離可能に設けられ、かつ例えば分電盤等の後述する背面壁４１に取り付け可能な背面側支持治具３０とからなっている。
【００３４】
上記電子機器取り付け治具１１は、該電子機器取り付け治具１１を図示しない背面壁に取り付けるときには、図１及び図３に示すように、前面側支持治具２０と背面側支持治具３０とは一体に連結されている。しかし、この電子機器取り付け治具１１に電子機器１０Ａを支持固定する前には、図４及び図５に示すように、分離された状態となっている。
【００３５】
上記前面側支持治具２０は、図４に示すように、例えば、断面Ｌ字状に形成されており、Ｌ字立ち上げ部としての開口付きＬ字立ち上げ部２１とＬ字水平部としての開口付きＬ字水平部２２とを有している。尚、前面側支持治具２０は、電子機器１０Ａの前面を支持固定する上記開口付きＬ字立ち上げ部２１と、電子機器１０Ａの上面を覆う開口付きＬ字水平部２２とのみからなっており、側面壁は存在しない。
【００３６】
上記開口付きＬ字立ち上げ部２１には１つの大きな開口部としての大開口部２１ａが形成されていると共に、開口付きＬ字水平部２２には２つの小さな開口部としての小開口部２２ａ・２２ａが形成されている。上記大開口部２１ａは、電子機器１０Ａの前面に備えられた表示部１及び操作部２の両方を露出させて嵌合支持するためのものとなっている。尚、小開口部２２ａ・２２ａについては、後述する。
【００３７】
また、前面側支持治具２０における開口付きＬ字立ち上げ部２１及び開口付きＬ字水平部２２の各端縁部には、係止爪２３・２３がそれぞれ例えば２個ずつ設けられている。
【００３８】
一方、背面側支持治具３０は、図５に示すように、前面側支持治具２０の断面Ｌ字状に対応して、同様に、断面Ｌ字状に形成されている。この背面側支持治具３０は、Ｌ字立ち上げ板３１とＬ字水平板３２とからなっており、開口部は存在しない。
【００３９】
また、背面側支持治具３０におけるＬ字立ち上げ板３１及びＬ字水平板３２の各端縁部には、内側に屈曲された折り代部３１ａ及び折り代部３２ａがそれぞれ形成されており、かつ折り代部３１ａ及び折り代部３２ａには、前記係止爪２３・２３が挿入される係止爪嵌挿穴３３・３３がそれぞれ２個ずつ設けられている。
【００４０】
ここで、少なくとも前面側支持治具２０は、弾力性を有する例えば金属板又はプラスチックからなっている。このため、それぞれ断面Ｌ字状に形成された前面側支持治具２０及び背面側支持治具３０は、ある程度、そのＬ字の内角が直角以外になるように撓ませることができる。このため、係止爪２３・２３を係止爪嵌挿穴３３・３３に容易に嵌挿することができる。
【００４１】
また、本実施の形態においては、図１及び図６に示すように、背面側支持治具３０の裏面に、分電盤等の背面壁４１にねじ４２にて固定されたＤＩＮレール４３にワンタッチで取り付けるための市販品のレール取付用金具４４が固着されている。これによって、背面側支持治具３０を、レール取付用金具４４を介してＤＩＮレール４３に容易に取り付けることができる。
【００４２】
上記構成の電子機器取り付け治具１１を用いて、パネルマウント方式の電子機器１０Ａを例えば、図示しない分電盤等の内部における背面壁に設けられたＤＩＮレールに固定する方法について説明する。ここで、ＤＩＮレールとは、配電盤又は分電盤等等の盤の盤用構造材として用いられるドイツ規格の３５ｍｍ幅の支持レールをいい、世界基準となっている。長さは１ｍ、０．５ｍ、その他各種のものがあり、材質は一般的にはアルミニウムからなっている。
【００４３】
まず、図２に示すように、電子機器１０Ａの背面の端子接続部３での配線接続を行う。次いで、図１に示すように、前面側支持治具２０の開口付きＬ字立ち上げ部２１における大開口部２１ａに電子機器１０Ａの前面を挿入する。これにより、電子機器１０Ａは、大開口部２１ａによって、表示部１及び操作部２の両方が露出された状態で前面側支持治具２０に嵌合支持される。次いで、この前面側支持治具２０に背面側支持治具３０を一体に連結する。
【００４４】
このとき、図４に示す前面側支持治具２０の開口付きＬ字水平部２２の端縁部に形成された係止爪２３・２３が、図５に示す背面側支持治具３０のＬ字立ち上げ板３１における端縁部に形成された折り代部３１ａの係止爪嵌挿穴３３に挿入される。そして、図４に示す前面側支持治具２０の開口付きＬ字立ち上げ部２１の端縁部に形成された係止爪２３・２３が、図５に示す背面側支持治具３０のＬ字水平板３２における端縁部に形成された折り代部３２ａの係止爪嵌挿穴３３に挿入される。このとき、前面側支持治具２０及び背面側支持治具３０うちの少なくとも前面側支持治具２０は、例えば、弾力性を有する金属板又はプラスチックからなっている。このため、断面Ｌ字状に形成された前面側支持治具２０及び背面側支持治具３０をそれぞれ撓ませることによって、折り代部３１ａ及び折り代部３２ａを係止爪嵌挿穴３３・３３に容易に挿入することができる。
【００４５】
尚、上記の説明では、電子機器１０Ａの端子接続部３への配線接続が終了した後、その配線接続した電子機器１０Ａを前面側支持治具２０に取り付けたが、必ずしもこれに限らず、先に、電子機器１０Ａを前面側支持治具２０に取り付けた後、電子機器１０Ａの配線接続を行うことも可能である。その理由は、電子機器１０Ａを前面側支持治具２０に取り付けた場合であっても、背面側支持治具３０が存在していないので、電子機器１０Ａの背面部が開放されているためである。
【００４６】
次いで、図６に示すように、背面側支持治具３０に接着されたレール取付用金具４４に、ＤＩＮレール４３の脚４３ａ・４３ａを嵌め込む。これにより、背面側支持治具３０を、レール取付用金具４４を介してＤＩＮレール４３に容易に固定することができる。
【００４７】
ところで、本実施の形態の電子機器取り付け治具１１は、前述したように、前面側支持治具２０の開口付きＬ字水平部２２には、２個の小開口部２２ａ・２２ａが形成されている。この理由は、例えば、図７に示すように、電子機器１０Ａよりも高さの低い電子機器１０Ｂがあったとしても、この電子機器取り付け治具１１にて対応可能とするためである。
【００４８】
すなわち、図７に示すように、電子機器１０Ｂは、電子機器１０Ａと同様に、前面に表示部１及び操作部２の両方を備え、かつ背面に端子接続部３を備えており、パネルマウント方式の電子機器１０Ｂとなっている。しかし、電子機器１０Ｂの高さは、電子機器１０Ａの高さの約半分となっている。尚、電子機器１０Ｂにおいても、前面に表示部１及び操作部２の両方を備えているが、発明においては必ずしもこれに限らず、電子機器１０Ｂの前面に例えば表示部１又は操作部２のいずれか一方のみが存在しているものであってもよい。
【００４９】
このように、電子機器１０Ａとはサイズの異なる場合に、本来であれば、前面側支持治具２０の開口付きＬ字立ち上げ部２１における大開口部２１ａを、電子機器１０Ｂが嵌合できる開口部を備えたものを用意しなければならず、部品点数の増加を招く。
【００５０】
そこで、本実施の形態の電子機器取り付け治具１１では、前面側支持治具２０の開口付きＬ字水平部２２に２個の小開口部２２ａ・２２ａを設けている。尚、本実施の形態では、小開口部２２ａは２個であるが、必ずしもこれに限らず、１個でもよく又は３個以上であってもよい。
【００５１】
そして、本実施の形態の電子機器取り付け治具１１における前面側支持治具２０は、開口付きＬ字立ち上げ部２１の長さと開口付きＬ字水平部２２の長さとが互いに等しいものとなっている。これにより、図８に示すように、開口付きＬ字立ち上げ部２１と開口付きＬ字水平部２２とを反転して入れ替えることにより、図９に示すように、例えば２個の電子機器１０Ｂを前面側支持治具２０の小開口部２２ａ・２２ａにおいて、電子機器１０Ｂの前面に備えられた前記表示部１及び操作部２の両方を露出させて嵌合支持することができる。
【００５２】
そして、この場合、前面側支持治具２０の高さ方向の寸法は変化しないので、背面側支持治具３０も変わりなく使用することができる。
【００５３】
この結果、一つの電子機器取り付け治具１１にて、２種類のパネルマウント方式の電子機器１０Ａ・１０Ｂのうちのいずれか１種類を取り付けることができる。
【００５４】
このように、本実施の形態の電子機器取り付け治具１１は、背面に端子接続部３を備えたパネルマウント方式の電子機器１０Ａ・１０Ｂのための電子機器取り付け治具であって、電子機器１０Ａ・１０Ｂの前面に備えられた表示部１及び操作部２の両方又はいずれか一方を露出させて電子機器１０Ａ・１０Ｂを嵌合支持するための大開口部２１ａ及び小開口部２２ａ・２２ａを有する前面側支持治具２０と、前面側支持治具２０とは分離可能に設けられ、かつ別途に存在する背面壁４１に取り付け可能な背面側支持治具３０とからなっている。
【００５５】
これにより、電子機器１０Ａ・１０Ｂの背面の端子接続部３での配線接続を行う場合には、配線接続の邪魔になる壁面が存在しないので、電子機器１０Ａ・１０Ｂの背面の端子接続部３での配線接続を容易に行うことができ、作業性が高い。また、分電盤等の内部の背面壁４１にも容易に取り付けることができる。さらに、分電盤等の内部において、分電盤等の前面蓋を開ければ、容易に前面側支持治具２０の大開口部２１ａ又は小開口部２２ａ・２２ａにおいて、電子機器１０Ａ・１０Ｂの前面に備えられた表示部１及び操作部２の両方又はいずれか一方を表示若しくは操作することができる。例えば、表示部１に表示された電力量を容易に見ることができ、かつ操作部２が露出しているので、例えば瞬時電力量の表示と積算電力量の表示とを切替ボタンにてボタン操作して切り替えることができる。このため、パネルマウント方式の電子機器１０Ａ・１０Ｂにおける前面での表示又は操作が可能という特性を活かすことができる。
【００５６】
したがって、パネルマウント方式の電子機器１０Ａ・１０Ｂを背面側で支持固定する場合に、配線接続を容易に行い得る電子機器取り付け治具１１を提供することができる。
【００５７】
また、波及効果として、電子機器１０Ａ・１０Ｂを保守点検する場合においても、電子機器１０Ａ・１０Ｂを電子機器取り付け治具１１から容易に外して保守点検することができる。
【００５８】
また、本実施の形態の電子機器取り付け治具１１では、前面側支持治具２０には、少なくとも２種類の形状の開口部が形成されている。
【００５９】
これにより、例えば、大きさの異なる２種類以上のパネルマウント方式の電子機器１０Ａ・１０Ｂを、電子機器１０Ａ・１０Ｂの前面に備えられた表示部１及び操作部２の両方又はいずれか一方を大開口部２１ａ又は小開口部２２ａ・２２ａから露出させて電子機器１０Ａ・１０Ｂを嵌合支持することができる。したがって、一つの電子機器取り付け治具１１にて、複数種類のパネルマウント方式の電子機器１０Ａ・１０Ｂを取り付けることができる。
【００６０】
尚、本実施の形態においては、前面側支持治具２０のおける開口付きＬ字立ち上げ部２１に少なくとも２種類の形状の開口部が形成されている場合の他、開口付きＬ字立ち上げ部２１と開口付きＬ字水平部２２とに対してそれぞれ形状の異なる大開口部２１ａ及び小開口部２２ａ・２２ａをそれぞれ形成しておく場合とがある。
【００６１】
また、本実施の形態の電子機器取り付け治具１１では、前面側支持治具２０は、断面Ｌ字状に形成されており、かつ開口付きＬ字立ち上げ部２１の長さと開口付きＬ字水平部２２の長さとは互いに等しい。
【００６２】
この結果、一つの電子機器取り付け治具１１にて、２種類のパネルマウント方式の電子機器１０Ａ・１０Ｂのうちのいずれか１種類を取り付けることができる。すなわち、開口付きＬ字立ち上げ部２１と開口付きＬ字水平部２２とに対してそれぞれ形状の異なる大開口部２１ａ及び小開口部２２ａ・２２ａをそれぞれ形成した場合には、開口付きＬ字立ち上げ部２１の長さと開口付きＬ字水平部２２の長さとは互いに等しいという要件が必要となる。
【００６３】
尚、本発明は、上記の実施の形態に限定されるものではなく、本発明の範囲内で種々の変更が可能である。
【００６４】
例えば、上記の説明では、図１に示すように、ＤＩＮレール４３に固定するための市販品のレール取付用金具４４が、背面側支持治具３０の外側表面に接着されていた。しかしながら、特にこれに限定するものではなく、例えば、図１０に示すように、背面側支持治具３０の前記Ｌ字立ち上げ板３１にレール取付部５４を直接形成したＬ字立ち上げ板５１とすることができる。
【００６５】
これにより、Ｌ字立ち上げ板３１に市販のレール取付用金具４４を接着する手間が省けるので、部品点数の増加、及び工数の低減を図ることができる。
【００６６】
また、図１１に示すように、背面側支持治具３０に磁石５５を設けておくことが可能である。これにより、磁石５５にて、分電盤等の内部における鉄製の背面壁４１に容易に取り付け固定することができ、取り付け固定での作業性が高い。また、ＤＩＮレール４３が無くても鉄製の背面壁４１に容易に取り付け固定することができる。さらに、レール取付用金具４４やレール取付部５４が設けられている場合には、電子機器取り付け治具１１の背面壁４１への取り付け強度を向上させることができる。
【００６７】
また、図１２に示すように、複数の電子機器取り付け治具１１を積み上げて使用する場合においても、背面側支持治具３０に磁石５５を設けておくことによって、前面側支持治具２０を鉄製にて形成しておけば、積み上げられた複数の電子機器取り付け治具１１同士を容易に固定することができる。
【００６８】
さらに、背面壁４１が、木製にてなっている場合には、背面側支持治具３０をネジにて背面壁４１に取り付けることも可能である。
【００６９】
また、上記の説明では、前面側支持治具２０及び背面側支持治具３０は、いずれも断面Ｌ字形状となっている。しかし、本発明においては、必ずしもこれに限らず、例えば、前面側支持治具２０が開口付き平板からなっており、背面側支持治具３０がこの開口付き平板からなる前面側支持治具２０に一体に連結されるコの字状に形成されたものであって、分離可能となっている構成であってもよい。
【００７０】
尚、本発明は、上述した各実施形態に限定されるものではなく、請求項に示した範囲で種々の変更が可能であり、異なる技術的手段を適宜組み合わせて得られる実施形態についても本発明の技術的範囲に含まれる。
【産業上の利用可能性】
【００７１】
本発明は、背面に端子接続部を備えたパネルマウント方式の電子機器を例えば分電盤配電盤等の盤に取り付ける電子機器取り付け治具に適用できる。電子機器としては、前面に表示部及び操作部の両方又はいずれかが存在し、背面に端子接続部を備えたパネルマウント方式の電子機器であれば適用でき、例えば、電力量計、電圧計、電流計、その他の盤に取り付けられる電子機器に適用できる。
【符号の説明】
【００７２】
１        表示部
２        操作部
３        端子接続部
１０Ａ      電子機器
１０Ｂ      電子機器
１１        電子機器取り付け治具
２０        前面側支持治具
２１        開口付きＬ字立ち上げ部（Ｌ字立ち上げ部）
２１ａ      大開口部（開口部）
２２        開口付きＬ字水平部（Ｌ字水平部）
２２ａ      小開口部（開口部）
２３        係止爪
３０        背面側支持治具
３１        Ｌ字立ち上げ板
３２        Ｌ字水平板
３３        係止爪嵌挿穴
４１        背面壁
４３        ＤＩＮレール
４４        レール取付用金具
５４        レール取付部
５５        磁石
【図１】
0005740994.tif 000002
【図２】
0005740994.tif 000003
【図３】
0005740994.tif 000004
【図４】
0005740994.tif 000005
【図５】
0005740994.tif 000006
【図６】
0005740994.tif 000007
【図７】
0005740994.tif 000008
【図８】
0005740994.tif 000009
【図９】
0005740994.tif 000010
【図１０】
0005740994.tif 000011
【図１１】
0005740994.tif 000012
【図１２】
0005740994.tif 000013
【図１３】
0005740994.tif 000014